(57)【特許請求の範囲】
【請求項１】
外部機器が接続されて、複数のメタデータの形式に対して共通の情報である基本データ部及び前記複数のメタデータの形式に対してそれぞれ異なる情報である個別データ部からなるメタデータを付帯した再生データが前記外部機器から入力される接続部と、
前記接続部に入力された前記再生データ及び前記メタデータを記憶する第１記憶部と、
前記複数のメタデータの形式の一つである基準形式のメタデータ群を記憶する第２記憶部と、
前記接続部から入力された前記再生データに付帯した前記メタデータの形式が、前記基準形式と異なる形式である場合には、前記再生データに付帯した前記メタデータの基本データ部と、前記第２記憶部内の前記メタデータ群の基本データ部とを照合し、一致と判断したメタデータを前記再生データに対応する前記基準形式のメタデータとして判定し、前記再生データに付帯した前記メタデータを前記再生データに対応する前記基準形式のメタデータに書き換える制御部を備えることを特徴とする再生装置。
【請求項２】
請求項１記載の再生装置において、
前記基本データ部は前記再生データに関する複数の情報を含み、
前記制御部は、前記再生データに付帯した前記メタデータの基本データ部と、前記第２記憶部内の前記メタデータ群の基本データ部とを照合した際に、前記複数の情報のうち一部の情報が一致していれば一致と判断することを特徴とする再生装置。
【請求項３】
請求項１又は２記載の再生装置において、
前記外部機器は、インターネットに接続されて、基準形式のメタデータを記憶するメタデータサーバと通信可能な状態であり、
前記第２記憶部は、所定のタイミングになると、前記接続部及び前記外部機器を介して、前記メタデータサーバと通信して、前記メタデータ群を更新することを特徴とする再生装置。
【請求項４】
複数のメタデータの形式に対して共通の情報である基本データ部及び前記複数のメタデータの形式に対してそれぞれ異なる情報である個別データ部からなるメタデータを記憶するメタデータサーバと、
前記メタデータサーバにインターネットを介して接続された状態で、再生データを作成するとともに、当該再生データに前記メタデータサーバ内の前記メタデータを付帯する再生データ作成装置と、
前記再生データ作成装置で作成された前記再生データ及び前記メタデータを取り込み可能な再生装置とを備え、
前記メタデータサーバ、前記再生データ作成装置及び前記再生装置の少なくとも１つは、前記複数のメタデータの形式の一つである基準形式のメタデータ群を記憶するメタデータ記憶部を備え、
前記メタデータサーバ、前記再生データ作成装置及び前記再生装置の少なくとも１つは、前記再生データに前記基準形式でないメタデータが付帯されている場合には、前記再生データに付帯した前記メタデータの基本データ部と、前記メタデータ記憶部内の前記メタデータ群の各基本データ部とを照合し、一致と判断したメタデータを前記再生データに対応する前記基準形式のメタデータとして判定し、前記再生データに付帯した前記メタデータを前記再生データに対応する前記基準形式のメタデータに書き換えることを特徴とするデータ取得システム。
【請求項５】
複数のメタデータの形式に対して共通の情報である基本データ部と前記複数のメタデータの形式に対してそれぞれ異なる情報である個別情報からなるメタデータが付帯された再生データを取得するデータ取得方法であって、
取得した再生データに、前記複数のメタデータの形式の一つである基準形式でないメタデータが付帯されている場合には、前記再生データに付帯した前記メタデータの基本データ部と、前記基準形式のメタデータ群を記憶するメタデータ記憶部内の前記メタデータ群の各基本データ部とを照合する照合工程と、
前記照合工程で一致と判断したメタデータを前記再生データに対応する前記基準形式のメタデータとして判定し、前記再生データに付帯した前記メタデータを前記再生データに対応する前記基準形式のメタデータに書き換えること書き換え工程とを有することを特徴とするデータ取得方法。
【請求項６】
複数のメタデータの形式に対して共通の情報である基本データ部と前記複数のメタデータの形式に対してそれぞれ異なる情報である個別情報からなるメタデータが付帯された再生データを取得するためのプログラムであって、
取得した再生データに、前記複数のメタデータの形式の一つである基準形式でないメタデータが付帯されている場合には、前記再生データに付帯した前記メタデータの基本データ部と、前記基準形式のメタデータ群を記憶するメタデータ記憶部内の前記メタデータ群の各基本データ部とを照合する照合ステップと、
前記照合ステップで一致と判断したメタデータを前記再生データに対応する前記基準形式のメタデータとして判定し、前記再生データに付帯した前記メタデータを前記再生データに対応する前記基準形式のメタデータに書き換える書き換えステップとをコンピュータに実行させることを特徴とするプログラム。
【発明の詳細な説明】
【技術分野】
【０００１】
本発明は、再生装置、データ取得システム、データ取得方法及びプログラムに関する。
【背景技術】
【０００２】
近年、デジタルデータを再生する再生装置では、例えば音楽データ等の再生データを取得する場合、ＰＣによりＣＤからリッピングされた音楽データを取り込んで再生するようになっている。ここで、ＰＣでＣＤをリッピングする際には、当該ＣＤのＴＯＣ情報を基にインターネット上からメタデータが取得されており、このメタデータが音楽データに付帯された状態でＰＣに管理されている（例えば特許文献１参照）。このため、再生装置においても音楽データにメタデータが付帯されてＰＣから転送されることになる。
【０００３】
図４は、従来のデータ取得システムを表すブロック図である。この図４に示すように、データ取得システム１００には、インターネットＩに接続されたＰＣ１０１と、メタデータを格納するメタデータサーバ１０２と、音楽データを配信する音楽データサーバ１０３と、ＰＣ１０１に接続されて、ＰＣ１０１内の音楽データを取得する再生装置１１０とが設けられている。
【０００４】
ＰＣ１０１では、挿入されたＣＤ１０４をリッピングしてデジタルな音楽データを作成する。この際、ＰＣ１０１は、ＣＤ１０４のＴＯＣ情報を基に、各音楽データに対応するメタデータをメタデータサーバ１０２から取得しており、この取得したメタデータを各音楽データに付帯している。
【０００５】
再生装置１１０には、音楽データのデータベース（楽曲ＤＢ１１１）を有するＨＤＤ１１２と、ＰＣ１０１と接続されるＩＦ部１１３と、各種指示が入力される入力部１１４と、各種情報が表示される表示部１１５と、音声を出力する音声出力部１１６と、これらを制御する制御部１１７とが電気的に接続されて設けられている。
【０００６】
そして、再生装置１１０の制御部１１７は、ＩＦ部１１３を介してＰＣ１０１から取り込んだ音楽データ及びメタデータをＨＤＤ１１２の楽曲ＤＢ１１１に記憶させておき、入力部１１４からの再生指示に基づいて、楽曲ＤＢ１１１内の音楽データを読み出しで、音声出力部１１６から出力させるとともに、当該音楽データに付帯されたメタデータを表示部１１５に出力させる。
【０００７】
ここで、インターネットＩ上には、運営媒体の異なる複数のメタデータサーバ１０２が接続されていて、各運営媒体毎に異なるメタデータが配信されるようになっている。例えば、運営媒体Ａからのメタデータ（第１メタデータ）と、運営媒体Ｂからのメタデータ（第２メタデータ）とは、共通の基本データ部と、各運営媒体特有の個別データ部とから構成されている。基本データ部とは、曲名、アーティスト名、アルバム名、時間等、各楽曲における基本的なデータである。個別データ部は、各運営媒体固有のサービスを利用するため付与されたデータである。つまり、第１メタデータと第２メタデータは、基本データ部分においては共通化されているが、個別データ部分では、異なる情報が付与されているのである。
【０００８】
各再生装置メーカーは、主として使用するメタデータ配信運営媒体を予め決定しており、そこのメタデータサービスで取得されるメタデータを基に再生装置の各種機能を開発している。このため、ＰＣ１０１には再生装置１１０用のリッピングソフトがインストールされていて、このリッピングソフトを使用することで、ＣＤ１０４のリッピング時に、当該再生装置１１０に対応した形式のメタデータをダウンロードすることができるようになっている。これにより、いずれのＣＤ１０４をリッピングする際においても再生装置１１０に対応したメタデータを取得できるのである。
【特許文献１】特開２００５−１２２８６３号公報
【発明の開示】
【発明が解決しようとする課題】
【０００９】
ところで、音楽データの取得には、ＣＤ１０４からリッピングする以外にも例えば他人から取得したり、音楽配信サービスにより取得する場合もあるが、こうした場合においては、各音楽データに付帯したメタデータが、再生装置に対応した形式でない場合も考えられる。メタデータの形式が再生装置に対応していなければ、再生装置固有の機能を使用できずに、せっかくの機能が無駄になってしまい、ユーザに不満をきたすおそれがあった。
【００１０】
本発明の課題は、取得した再生データに付帯するメタデータの形式が再生装置に対応していない場合であっても、当該再生装置に対応するように変換させることで、再生装置固有の機能を発揮させることである。
【課題を解決するための手段】
【００１１】
請求項１記載の発明における再生装置は、
外部機器が接続されて、複数のメタデータの形式に対して共通の情報である基本データ部及び前記複数のメタデータの形式に対してそれぞれ異なる情報である個別データ部からなるメタデータを付帯した再生データが前記外部機器から入力される接続部と、
前記接続部に入力された前記再生データ及び前記メタデータを記憶する第１記憶部と、
前記複数のメタデータの形式の一つである基準形式のメタデータ群を記憶する第２記憶部と、
前記接続部から入力された前記再生データに付帯した前記メタデータの形式が、前記基準形式と異なる形式である場合には、前記再生データに付帯した前記メタデータの基本データ部と、前記第２記憶部内の前記メタデータ群の基本データ部とを照合し、一致と判断したメタデータを前記再生データに対応する前記基準形式のメタデータとして判定し、前記再生データに付帯した前記メタデータを前記再生データに対応する前記基準形式のメタデータに書き換える制御部を備えることを特徴としている。
【００１２】
請求項２記載の発明は、請求項１記載の再生装置において、
前記基本データ部は前記再生データに関する複数の情報を含み、
前記制御部は、前記再生データに付帯した前記メタデータの基本データ部と、前記第２記憶部内の前記メタデータ群の基本データ部とを照合した際に、前記複数の情報のうち一部の情報が一致していれば一致と判断することを特徴としている。
【００１３】
請求項３記載の発明は、請求項１又は２記載の再生装置において、
前記外部機器は、インターネットに接続されて、基準形式のメタデータを記憶するメタデータサーバと通信可能な状態であり、
前記第２記憶部は、所定のタイミングになると、前記接続部及び前記外部機器を介して、前記メタデータサーバと通信して、前記メタデータ群を更新することを特徴としている。
【００１４】
請求項４記載の発明におけるデータ取得システムは、
複数のメタデータの形式に対して共通の情報である基本データ部及び前記複数のメタデータの形式に対してそれぞれ異なる情報である個別データ部からなるメタデータを記憶するメタデータサーバと、
前記メタデータサーバにインターネットを介して接続された状態で、再生データを作成するとともに、当該再生データに前記メタデータサーバ内の前記メタデータを付帯する再生データ作成装置と、
前記再生データ作成装置で作成された前記再生データ及び前記メタデータを取り込み可能な再生装置とを備え、
前記メタデータサーバ、前記再生データ作成装置及び前記再生装置の少なくとも１つは、前記複数のメタデータの形式の一つである基準形式のメタデータ群を記憶するメタデータ記憶部を備え、
前記メタデータサーバ、前記再生データ作成装置及び前記再生装置の少なくとも１つは、前記再生データに前記基準形式でないメタデータが付帯されている場合には、前記再生データに付帯した前記メタデータの基本データ部と、前記メタデータ記憶部内の前記メタデータ群の各基本データ部とを照合し、一致と判断したメタデータを前記再生データに対応する前記基準形式のメタデータとして判定し、前記再生データに付帯した前記メタデータを前記再生データに対応する前記基準形式のメタデータに書き換えることを特徴としている。
【００１５】
請求項５記載の発明は、
複数のメタデータの形式に対して共通の情報である基本データ部と前記複数のメタデータの形式に対してそれぞれ異なる情報である個別情報からなるメタデータが付帯された再生データを取得するデータ取得方法であって、
取得した再生データに、前記複数のメタデータの形式の一つである基準形式でないメタデータが付帯されている場合には、前記再生データに付帯した前記メタデータの基本データ部と、前記基準形式のメタデータ群を記憶するメタデータ記憶部内の前記メタデータ群の各基本データ部とを照合する照合工程と、
前記照合工程で一致と判断したメタデータを前記再生データに対応する前記基準形式のメタデータとして判定し、前記再生データに付帯した前記メタデータを前記再生データに対応する前記基準形式のメタデータに書き換えること書き換え工程とを有することを特徴としている。
【００１６】
請求項６記載の発明は、
複数のメタデータの形式に対して共通の情報である基本データ部と前記複数のメタデータの形式に対してそれぞれ異なる情報である個別情報からなるメタデータが付帯された再生データを取得するためのプログラムであって、
取得した再生データに、前記複数のメタデータの形式の一つである基準形式でないメタデータが付帯されている場合には、前記再生データに付帯した前記メタデータの基本データ部と、前記基準形式のメタデータ群を記憶するメタデータ記憶部内の前記メタデータ群の各基本データ部とを照合する照合ステップと、
前記照合ステップで一致と判断したメタデータを前記再生データに対応する前記基準形式のメタデータとして判定し、前記再生データに付帯した前記メタデータを前記再生データに対応する前記基準形式のメタデータに書き換える書き換えステップとをコンピュータに実行させることを特徴としている。
【発明の効果】
【００１７】
本発明によれば、接続部からの再生データに付帯したメタデータの形式が、基準形式と異なる場合には、再生データに付帯したメタデータの基本データ部と、第２記憶部内のメタデータ群の基本データ部とが照合される。そして、一致と判断された基準形式のメタデータが再生データに対応する基準形式のメタデータとされて、当該基準形式のメタデータを基に、再生データに付帯したメタデータが書き換えられる。このように、再生データに付帯したメタデータが基準形式のメタデータに書き換えられれば、基準形式のメタデータに基づいた再生装置固有の機能を発揮することが可能となる。
【００１８】
また、照合時においては、再生データに付帯したメタデータの基本データ部と、第２記憶部内のメタデータ群の基本データ部とが類似していれば一致と判断されるので、基本データ部が僅かに異なっていたとしても、同一楽曲と判断させることができる。
【００１９】
そして、所定のタイミングになると第２記憶部が、接続部及び外部機器を介してメタデータサーバと通信して、メタデータ群を更新するので、最新の基準形式のメタデータを確保することができる。
【発明を実施するための最良の形態】
【００２０】
以下、図面を参照しつつ、本発明の実施形態について説明する。図１は、本実施形態のデータ取得システム１の全体構成を表すブロック図である。図１に示すように、データ取得システム１には、インターネットＩに接続されたＰＣ２と、メタデータを格納するメタデータサーバ３と、再生データとしての音楽データを配信する音楽データサーバ４と、ＰＣ２に接続されて、ＰＣ２内の音楽データを取得する再生装置５とが設けられている。
【００２１】
ＰＣ２は、挿入されたＣＤ６をリッピングしてデジタルな音楽データを作成する。この際、ＰＣ２は、ＣＤ６のＴＯＣ情報を基に、各音楽データに対応するメタデータをメタデータサーバ３から取得しており、この取得したメタデータを各音楽データに付帯している。
ここで、メタデータは、上記したように共通の基本データ部と、各運営媒体特有の個別データ部とから構成されている。具体的に、運営媒体Ａのメタデータ（第１メタデータ）は、図２に示すように、曲名、アーティスト名、アルバム名、時間からなる基本データ部Ｄ１と、個別データ部Ｄ２とから構成されている。また、運営媒体Ｂのメタデータ（第２メタデータ）も同様に曲名、アーティスト名、アルバム名、時間からなる基本データ部Ｄ３と、個別データ部Ｄ４とから構成されている。なお、個別データ部Ｄ２，Ｄ４は、各運営媒体固有のサービスを利用するためのものであり、ここでは便宜上、第１メタデータの個別データ部Ｄ２をａ，ｂ，ｃとして表記し、第２メタデータの個別データ部Ｄ４をイ、ロ、ハとして表記する。
【００２２】
そしてＰＣ２は、本発明に係る外部機器又は再生データ作成装置である。ＰＣ２は、メタデータサーバ３にインターネットＩを介して接続された状態で、ＣＤ６をリッピングすることで音楽データを作成するとともに、再生装置５の規格に対応した基準形式のメタデータ（例えば第１メタデータ）を有するメタデータサーバ３と通信して、音楽データに対応するメタデータを取得し付帯するようになっている。
基準形式のメタデータとは、上記したように再生装置５の規格に対応したものであるが、具体的には当該再生装置５で、主として使用するメタデータ配信運営媒体で作成された形式のメタデータのことである。
【００２３】
再生装置５には、図１に示すように、ＨＤＤ５１と、ＰＣ２と接続される本発明の接続部としてのＩＦ部５２と、各種指示が入力される入力部５３と、各種情報が表示される表示部５４と、音声を出力する音声出力部５５と、これらを制御する制御部５６とが電気的に接続されて設けられている。
【００２４】
ＨＤＤ５１には、音楽データを記憶する楽曲データベース（楽曲ＤＢ５７）と、基準形式のメタデータ群を記憶する内蔵メタデータデータベース（内蔵メタデータＤＢ５８）とが設けられている。つまり、内蔵メタデータＤＢ５８には、基準形式のメタデータ（例えば第１メタデータの形式）が多数記憶されている。そして、楽曲ＤＢ５７は本発明に係る第１記憶部であり、内蔵メタデータＤＢ５８は、本発明に係る第２記憶部である。楽曲ＤＢ５７は、ＩＦ部５２から入力された音楽データ及び当該音楽データのメタデータを記憶するようになっている。
【００２５】
制御部５６は、ＲＯＭ，ＲＡＭ，ＣＰＵから構成されていて、ＣＰＵがＲＯＭ中の制御プログラムを読み出して、ＲＡＭに展開し、実行することで、各部を制御するようになっている。
制御部５６は、ＩＦ部５２を介してＰＣ２から取り込んだ音楽データ及びメタデータをＨＤＤ５１の楽曲ＤＢ５７に記憶させておき、入力部５３からの再生指示に基づいて、楽曲ＤＢ５７内の音楽データを読み出しで、音声出力部５５から出力させるとともに、当該音楽データに付帯されたメタデータを表示部５４に出力させる。
【００２６】
制御部５６は、ＩＦ部５２からの音楽データに付帯したメタデータの形式が、基準形式と異なる場合には、再生データに付帯したメタデータの基本データ部と、内蔵メタデータＤＢ５８内のメタデータ群の基本データ部とを照合するようになっている。照合時においては、制御部５６は、再生データに付帯したメタデータの基本データ部である曲名、アーティスト名、アルバム名、時間を基に、内蔵メタデータＤＢ５８内のメタデータ群の各メタデータを照合して、類似したものを一致と判断して、同一楽曲のメタデータと判定する。ここで、類似と判断する条件としては、照合する基本データ部の４項目のうち、少なくとも１項目以上が一致である場合である。例えば、本実施形態では少なくとも３項目が一致である場合を類似として判断し、同一楽曲のメタデータとして判定している。なお、基本データ部の４項目の全てが一致しているのであれば、同一楽曲のメタデータとして判定することはもちろんである。
【００２７】
そして、制御部５６は、照合によって内蔵メタデータＤＢ５８のメタデータ群から同一楽曲のメタデータを識別した後においては、当該メタデータを音楽データに対応する基準形式のメタデータとして、このメタデータを基に音楽データに付帯したメタデータを書き換えるようになっている。
【００２８】
具体的に、音楽データに付帯したメタデータが第２メタデータである場合には、制御部５６は、第２メタデータの基本データ部と、内蔵メタデータＤＢ５８内のメタデータ群の基本データ部とを照合し、一致したもの若しくは類似したものを同一楽曲の基準形式のメタデータとして識別する。その後、制御部５６は、同一楽曲の基準形式のメタデータを基に、音楽データに付帯したメタデータを書き換えることで、図２に示すように、個別データ部分がイ、ロ、ハからａ，ｂ，ｃとなって、基準形式のメタデータに変換されることになる。
【００２９】
また、制御部５６は所定のタイミングになると、内蔵メタデータＤＢ５８がＩＦ部５２及びＰＣ２を介してメタデータサーバ３と通信して、メタデータ群を更新するように、ＨＤＤ５１を制御する。ここで、所定のタイミングとは、例えば、再生装置５とＰＣ２との接続時や、前回更新してから一定時間経過した時、あるいは入力部５３に更新指示が入力された時などが挙げられる。
【００３０】
次に、本実施形態のデータ取得システムで実行される本発明のデータ取得方法について図３のフローチャートを参照に説明する。
【００３１】
まず、制御部５６は、本発明に係るプログラムを実行すると、ＩＦ部５２からの音楽データに付帯したメタデータの形式が基準形式であるか否かを判断し（ステップＳ１）、基準形式である場合にはプログラムを終了して、基準形式でない場合にはステップＳ２に移行する。
【００３２】
ステップＳ２では、制御部５６は、不一致項目カウンタＮ及び曲番カウンタＭを０にリセットする。
ステップＳ３では、制御部５６は、曲番カウンタＭを１だけカウントアップする。
【００３３】
ステップＳ４では、制御部５６は、内蔵メタデータＤＢ５８内のメタデータ群から曲番カウンタＭ番目のメタデータを読み出して、当該メタデータのアーティスト名と、音楽データに付帯したメタデータのアーティスト名とを照合して、一致していない場合にはステップＳ２１に移行して、一致している場合にはステップＳ５に移行する。
【００３４】
ステップＳ２１では、制御部５６は、不一致項目カウンタＮを１だけカウントアップして、ステップＳ５に移行する。
【００３５】
ステップＳ５では、制御部５６は、前記Ｍ番目のメタデータの曲名と、音楽データに付帯したメタデータの曲名とを照合して、一致していない場合にはステップＳ２２に移行して、一致している場合にはステップＳ６に移行する。
【００３６】
ステップＳ２２では、制御部５６は、不一致項目カウンタＮを１だけカウントアップして、ステップＳ２３に移行する。
ステップＳ２３では、制御部５６は、不一致項目カウンタＮが１であるか否かを判断し、カウンタＮが１である場合にはステップＳ６に移行して、カウンタＮが１でない場合にはステップＳ３０に移行する。
【００３７】
ステップＳ６では、制御部５６は、前記Ｍ番目のメタデータの曲名と、音楽データに付帯したメタデータのアルバム名とを照合して、一致していない場合にはステップＳ２４に移行して、一致している場合にはステップＳ７に移行する。
【００３８】
ステップＳ２４では、制御部５６は、不一致項目カウンタＮを１だけカウントアップして、ステップＳ２５に移行する。
ステップＳ２５では、制御部５６は、不一致項目カウンタＮが１であるか否かを判断し、カウンタＮが１である場合にはステップＳ７に移行して、カウンタＮが１でない場合にはステップＳ３０に移行する。
【００３９】
ステップＳ７では、制御部５６は、前記Ｍ番目のメタデータの時間と、音楽データに付帯したメタデータの時間とを照合して、一致していない場合にはステップＳ２６に移行して、一致している場合にはステップＳ８に移行する。これらステップＳ４〜ステップＳ７が本発明に係る照合工程及び照合ステップである。
【００４０】
ステップＳ２６では、制御部５６は、不一致項目カウンタＮを１だけカウントアップして、ステップＳ２７に移行する。
ステップＳ２７では、制御部５６は、不一致項目カウンタＮが１であるか否かを判断し、カウンタＮが１である場合にはステップＳ６に移行して、カウンタＮが１でない場合にはステップＳ３０に移行する。
【００４１】
ステップＳ８では、制御部５６は、前記Ｍ番目のメタデータが示す楽曲と、音楽データを基にした楽曲とが同一楽曲であると判定する。
ステップＳ９では、前記Ｍ番目のメタデータを基に、音楽データに付帯したメタデータを書き換えて、基準形式に変換し、ステップＳ１０に移行する。このステップＳ９が本発明に係る書き換え工程及び書き換えステップである。
【００４２】
ステップＳ３０では、制御部５６は、前記Ｍ番目のメタデータが示す楽曲と、音楽データを基にした楽曲とが同一楽曲でないと判定し、ステップＳ３１に移行する。
【００４３】
ステップＳ３１では、制御部５６は、曲番カウンタＭが内蔵メタデータＤＢ内のメタデータの総数と等しいか否かを判断し、等しい場合にはステップＳ１０に移行して、等しくない場合にはステップＳ３に移行する。
【００４４】
ステップＳ１０では、制御部５６は表示部５４を制御して照合結果を表示させて、プログラムを終了する。
【００４５】
以上のように、本実施形態によれば、ＩＦ部５２からの音楽データに付帯したメタデータの形式が、基準形式と異なる場合には、音楽データに付帯したメタデータの基本データ部と、内蔵メタデータＤＢ５８のメタデータ群の基本データ部とが照合される。そして、一致と判断された基準形式のメタデータが音楽データに対応する基準形式のメタデータとされて、当該基準形式のメタデータを基に、音楽データに付帯したメタデータが書き換えられる。このように、音楽データに付帯したメタデータが基準形式のメタデータに書き換えられれば、基準形式のメタデータに基づいた再生装置５固有の機能を発揮することが可能となる。
【００４６】
また、照合時においては、音楽データに付帯したメタデータの基本データ部と、内蔵メタデータＤＢ５８内のメタデータ群の基本データ部とが類似していれば一致と判断されるので、基本データ部が僅かに異なっていたとしても、同一楽曲と判断させることができる。
【００４７】
そして、所定のタイミングになると内蔵メタデータＤＢ５８が、ＩＦ部５２及びＰＣ２を介してメタデータサーバ３と通信して、メタデータ群を更新するので、最新の基準形式のメタデータを確保することができる。
【００４８】
なお、本発明は上記実施形態に限らず適宜変更可能であるのは勿論である。
例えば、本実施形態では、再生データとして音楽データである場合を例示して説明したが、メタデータが付帯された再生データであれば如何なるものでもよく、これ以外にも例えば動画データなどが挙げられる。
【００４９】
また、本実施形態では、再生装置が音楽データに付帯したメタデータを基準形式のメタデータに変換する場合について説明したが、この変換処理は、ＰＣ２や、メタデータサーバ３、これら以外のインターネットＩに接続された外部機器で実行されるものであってもよい。
【００５０】
そして、本実施形態では、基本データ部の４項目の全てが照合対象となっている場合を例示したが、照合対象は３項目以下であってもよく、さらには基本データ部が５項目以上ある場合には照合対象は５項目以上であってもよい。
【００５１】
また、メタデータを上書きする際においては、従前の個別データ部を残しつつ、基準形式のメタデータの個別データ部を追加するように、上書きするようにしても好ましい。こうすることで、上書き前のメタデータの形式を基準形式と使用している再生装置に転送されたとしても、メタデータを再度変換することなく使用することが可能となる。
【図面の簡単な説明】
【００５２】
【図１】本実施形態に係るデータ取得システムの概略構成を表すブロック図である。
【図２】図１のデータ取得システムで使用されるメタデータ形式の例を表す説明図である。
【図３】図１のデータ取得システムに備わる再生装置で実行されるプログラムのフローチャートである。
【図４】従来のデータ取得システムの概略構成を表すブロック図である。
【符号の説明】
【００５３】
１      データ取得システム
２      ＰＣ（外部機器、再生データ作成装置）
３      メタデータサーバ
４      音楽データサーバ
５      再生装置
５２      ＩＦ部（接続部）
５３      入力部
５４      表示部
５５      音声出力部
５６      制御部
５７      楽曲ＤＢ（第１記憶部）
５８      内蔵メタデータＤＢ（第２記憶部）
Ｉ      インターネット
【図１】
0004533853.tif 000002
【図２】
0004533853.tif 000003
【図３】
0004533853.tif 000004
【図４】
0004533853.tif 000005